(57)【要約】【課題】コーン紙は、サブコーン紙等の補助材がなくとも十分な接着代を確保して、ボイスコイルのボビンと接着が可能であり、ダストキャップも不要であり、しかも、精度のよい組み立てが出来るコーン型スピーカーを提供する。【解決手段】ボイスコイル３のボビン３ａに結合するコーン紙５を備えるコーン型スピーカーにおいて、湾曲するコーン紙５は外側に茶碗の糸尻状のリング壁１２を一体的に設け、ボビン３ａの先端はこのリング壁１２内に挿入し、ボビン３ａの先端とリング壁１２とを接着する。【選択図】        図１
2007336236.tif 000002
【特許請求の範囲】
【請求項１】
ボイスコイルのボビンに結合するコーン紙を備えるコーン型スピーカーにおいて、湾曲するコーン紙は底部外側に茶碗の糸尻状のリング壁を一体的に設け、ボビン先端はこのリング壁内に挿入し、ボビン先端とリング壁とを接着することを特徴とするコーン型スピーカー。
【請求項２】
ダンパー端もリング壁内に挿入し、ボビン先端とリング壁との接着の際に同時接着する請求項１記載のコーン型スピーカー。
【請求項３】
リング壁の内方に、センターホール治具の上端開口内周の傾斜壁面に係合する傾斜を有するセンターガイドリブ壁を放射状に配列させた請求項１または請求項２記載のコーン型スピーカー。
【請求項４】
リング壁の外方にリブ壁を放射状に配列させ、このリブ壁の一部をスリットを形成する２重壁とし、該スリット内にボイスコイルからのリード線を差し入れてコーン  紙の裏面に這わせたる請求項１ないし請求項３のいずれかに記載のコーン型スピーカー。
【発明の詳細な説明】
【技術分野】
【０００１】
本発明は、コーン型スピーカーに関するものである。
【背景技術】
【０００２】
コーン型スピーカーはその一例が下記特許文献にもあるが、図６に示すようにスピーカー１０１は、磁気回路１０２と、当該磁気回路１０２の磁気ギャップに配置されたボイスコイル１０３と、ボイスコイル１０３を支持するダンパー１０４と、ボイスコイル１０３の上端に取り付けられた振動板であるコーン紙１０５と、コーン紙１０５に結合されたエッジ１０６と、コーン紙１０５の上面中央部に固着されたダストキャップ１０７とを備える。
【特許文献１】特開２００２−９５０８６公報
【０００３】
磁気回路１０２は、ボトムプレート（ボトムヨーク）１０８と、マグネット１０９と、トッププレート１１０と、フレーム１１１とを含む。
【０００４】
フレーム１１１にはエッジ１０６が固着されている。そしてコーン紙１０５と、エッジ１０６、ボイスコイル（ボイスコイルボビン１０３ａ）１０３またはダストキャップ１０７とは、それぞれ、接着剤で貼り合わせることにより結合されている。また、エッジ１０６とフレーム１１１とは、強度を改善し変形を防止するために、補強矢紙１１２を介して固着される場合が多い。
【０００５】
コーン紙１０５は椀状すなわち湾曲したプレート状のものであるが、底部中央に開口を形成し、ボイスコイル１０３の円筒状のボビン１０３ａの先端はこの開口を下側から貫通している。ダストキャップ１０７はこの貫通したボビン１０３ａの先端を囲撓して、外部から遮蔽する。
【０００６】
また、コーン紙１０５は底部中央の開口縁のみではボビン１０３ａとの十分な接着代を確保できないので、図７に示すように、サブコーン紙１１３を下側から当てて接着強度を保つことも行われている。図中１１４はボビン１０３ａに被せるインナーキャップである。
【発明の開示】
【発明が解決しようとする課題】
【０００７】
前記図７に示すコーン紙１０５は、底部中央の開口縁のみではボビン１０３ａとの十分な接着代を確保できない。また、組み立ては下側から磁気回路１０２、ボイスコイル１０３、ダンパー１０４、コーン紙１０５と組み合わせて行くが、コーン紙１０５の中心位置を確保するのが極めて困難である。
【０００８】
サブコーン紙１１３を組み込むのでは、部材点数が複雑となり、組み立てに手間がかかる。
【０００９】
本発明の目的は前記従来例の不都合を解消し、コーン紙は、サブコーン紙等の補助材がなくとも十分な接着代を確保して、ボイスコイルのボビンと接着が可能であり、ダストキャップも不要であり、しかも、精度のよい組み立てが出来るコーン型スピーカーを提供することにある。
【課題を解決するための手段】
【００１０】
前記目的を達成するため請求項１記載の本発明のコーン型スピーカーは、ボイスコイルのボビンに結合するコーン紙を備えるコーン型スピーカーにおいて、湾曲するコーン紙は底部外側に茶碗の糸尻状のリング壁を一体的に設け、ボビン先端はこのリング壁内に挿入し、ボビン先端とリング壁とを接着することを要旨とするものである。
【００１１】
請求項１記載の本発明によれば、ボイスコイルのボビンとコーン紙の結合は、コーン紙の底部外側に設けた茶碗の糸尻状のリング壁内にボビン先端を挿入し、ボビン先端とリング壁とを接着するので、リング壁により十分な接着代を確保できる。
【００１２】
また、コーン紙の底部は開口を形成していないのでダストキャップも不要であり、開口がないことで、強度的な脆弱部もないのでサブコーン紙も必要とせず、部品点数も少なくてすむ。
【００１３】
請求項２記載の本発明は、ダンパー端もリング壁内に挿入し、ボビン先端とリング壁との接着の際に同時接着することを要旨とするものである。
【００１４】
請求項２記載の本発明によれば、フレーム側に外周縁が固定されたダンパーの内周縁をボイスコイルのボビンに結合し、ダンパーによりボイスコイルを振動可能に支持する場合に、ダンパーの端をボビンに確実に接着することができる。
【００１５】
請求項３記載の本発明は、リング壁の内方に、センターホール治具の上端開口内周の傾斜壁面に係合する傾斜を有するセンターガイドリブ壁を放射状に配列させたことを要旨とするものである。
【００１６】
請求項３記載の本発明によれば、リング壁の内方のセンターガイドリブ壁をセンターホール治具の上端開口内周の傾斜壁面に係合させることで、リング壁センターホール治具の中心に容易に合わせることができ、これによりボビン先端とリング壁との間隔を均一にして接着精度を高めることができる。
【００１７】
請求項４記載の本発明は、リング壁の外方にリブ壁を放射状に配列させ、このリブ壁の一部をスリットを形成する２重壁とし、該スリット内にボイスコイルからのリード線を差し入れてコーン紙の裏面に這わせたることを要旨とするものである。
【００１８】
請求項４記載の本発明によれば、リード線をコーン紙の裏面に這わせるのに、簡単かつ確実に行うことができ、裏面に這わせた部分がコーン紙と一体となって振動し、衝突や擦れなどによる異音を発生させないようにすることができる。
【発明の効果】
【００１９】
以上述べたように本発明のコーン型スピーカーは、コーン紙は、サブコーン紙等の補助材がなくとも十分な接着代を確保して、ボイスコイルのボビンと接着が可能であり、ダストキャップも不要であり、しかも、精度のよい組み立てが出来るものである。
【発明を実施するための最良の形態】
【００２０】
以下、本発明の実施の形態を詳細に説明する。図１は本発明のコーン型スピーカーの１実施形態を示す一部切欠いた正面図、図２は同上要部の縦断側面図で、前記従来例と同じくスピーカー１も、磁気回路２と、当該磁気回路２の磁気ギャップに配置されたボイスコイル３と、ボイスコイル３を支持するダンパー４と、ボイスコイル３の上端に取り付けられた振動板であるコーン紙５と、コーン紙５に結合されたエッジ６とを備える。
【００２１】
磁気回路２は、ボトムプレート（ボトムヨーク）８と、マグネット９と、トッププレート１０とフレーム１１とを含む。
【００２２】
フレーム１１にはエッジ６が固着されている。そしてコーン紙５と、エッジ６、ボイスコイル（ボイスコイルボビン３ａ）３とは、それぞれ、接着剤で貼り合わせることにより結合されている。
【００２３】
本発明は、湾曲するコーン紙５は底部には開口を設けることなく成形し、該底部の外側に茶碗の糸尻状のリング壁１２を一体的に設けた。ボビン３ａの先端はこのリング壁１１内に挿入される。
【００２４】
ボビン３ａの外周には接着剤を塗布しておき、この接着剤が介在することでボビン３ａとリング壁１２とを接着した。
【００２５】
その際、ダンパー４の内周縁端もこれをリブ状に立ち上げて前記リング壁１２内に挿入し、ボビン３ａの先端とリング壁１２との接着の際に同時に接着する。
【００２６】
コーン紙５のリング壁１２の内方に三角形状のセンターガイドリブ壁１３を放射状に配列させた（図示の例ではクロスさせて４５°の開きとした）。このセンターガイドリブ壁１３の傾斜辺１３ａはスタンドタイプのセンターホール治具１４の上端開口内周の傾斜壁面１４ａに係合する傾斜角のものである。
【００２７】
さらに、コーン紙５のリング壁１２の外方で周方向に沿って略三角形状のリブ壁１５を放射状に配列させた。そして、このリブ壁１５の一部を間に約１ｍｍ程度のスリット１６を形成する２重壁とする。図中１７はボイスコイル３からのリード線であるが、該スリット１６内にボイスコイル３からのリード線１７を差し入れて、このリード線１７をコーン紙５の裏面に這わせるものとする。
【００２８】
なお、コーン紙５はポリプロピレン（Ｐ．Ｐ．）を素材として、射出成形（インジェクション）で成形したものであり、その全体形状は図４、図５に示すように５角形に近いものとする場合の外、円形、楕円形等でもよい。
【００２９】
かかるスピーカー１の組み立てに際しては、センターホール治具１４を設置して、磁気回路２とフレーム１１をセットし、ダンパー４をその中央開口にボビン３ａの先端を差し入れるようにしてセットし、ボビン３ａの外周には接着剤（図示せず）を塗布しておき、このボビン３ａの先端がリング壁１２内に挿入するようにしてコーン紙５をセットする。
【００３０】
その際、センターガイドリブ壁１３がセンターホール治具１４の上端開口内周の傾斜壁面１４ａに係合することで、コーン紙５の中心をボビン３ａの中心に合わせることができ、ボビン３ａとリング壁１２との間隔を均一に確保することができる。
【００３１】
コーン紙５の先端外周は、フレーム１１に固着したエッジ６に接着し、ボイスコイル３からのリード線１７をリブ壁１５のスリット１６に差し入れてコーン紙５の裏面に這わせる。
【００３２】
以上はコイルのリード線をコーン紙の表面に這わせる間接リードタイプのスピーカーの場合であるが、直接リードタイプのスピーカーの場合は、このリブ壁１５のスリット１６を使用しなくともよい。
【図面の簡単な説明】
【００３３】
【図１】本発明のコーン型スピーカーの１実施形態を示す一部切欠いた正面図である。
【図２】本発明のコーン型スピーカーの１実施形態を示す縦断側面図である。
【図３】本発明のコーン型スピーカーのコーン紙の一部切欠いた正面図である。
【図４】本発明のコーン型スピーカーのコーン紙の平面図である。
【図５】本発明のコーン型スピーカーのコーン紙の底面図である。
【図６】コーン型スピーカーの一般例を示す縦断正面図である。
【図７】従来例を示す要部の縦断正面図である。
【符号の説明】
【００３４】
１…スピーカー              ２…磁気回路
３…ボイスコイル            ３ａ…ボビン
４…ダンパー                ５…コーン紙
６…エッジ
８…ボトムプレート（ボトムヨーク）
９…マグネット              １０…トッププレート
１１…フレーム              １２…リング壁
１３…センターガイドリブ壁  １３ａ…傾斜辺
１４…センターホール治具    １４ａ…傾斜壁面
１５…リブ壁                １６…スリット
１７…リード線
【図１】
2007336236.tif 000003
【図２】
2007336236.tif 000004
【図３】
2007336236.tif 000005
【図４】
2007336236.tif 000006
【図５】
2007336236.tif 000007
【図６】
2007336236.tif 000008
【図７】
2007336236.tif 000009